(57)【特許請求の範囲】
【請求項１】
トラクタ車体（１）の後部に耕耘ロータリ（６）と耕耘土壌を受けて畝成形する畝成形器（７）とからなる耕耘畝立装置（Ａ）を装着し、耕耘ロータリ（６）の耕耘軸（１５ｂ）には畝成形器（７）で成形する畝の畝幅間に互いに対向する一対のディスク（２５Ｌ，２５Ｒ）を配設し、耕耘施肥装置（Ａ）の上方に配置した施肥装置（Ｂ）によりこれら対向するディスク（２５Ｌ，２５Ｒ）間に繰り出す粉粒状物をこれら対向するディスク（２５Ｌ，２５Ｒ）間に配設した耕耘爪（２３Ｌ，２３Ｒ）によって土壌とともに攪拌する畝立施肥装置であって、前記一対のディスク（２５Ｌ，２５Ｒ）を各別に設ける一対のボス体（２１，２４）の夫々に、ディスク存在側とは反対方向に耕耘土壌を投擲すべく彎曲させた耕耘爪（２３Ｌ，２３Ｒ）を該ディスク（２５Ｌ，２５Ｒ）と所定の間隔（Ｍ）をおいて設け、これら一対のボス体（２１，２４）を耕耘爪軸（１５ｂ）に対してスライド自在でかつ所定位置に固定可能に設け、一対のディスク（２５Ｌ，２５Ｒ）の間隔（Ｗ）を調節可能に設けるものにおいて、
耕耘幅の中央部に垂下状態で伝動ケース（１６）を設け、該伝動ケース（１６）から左右に突出する耕耘出力軸（１７，１７）に第１耕耘軸（１５ａ）をスプライン嵌合して動力伝動可能に構成し、この第１耕耘軸（１５ａ）の回転動力を前記第２耕耘軸（１５ｂ）に伝達する構成とし、
前記一対のボス体（２１，２４）を第１ボス体（２１）と第２ボス体（２４）で構成し、第１ボス体（２１）を短ボス体（２１ａ）と径大の延出ボス体（２１ｂ）で構成し、該延出ボス体（２１ｂ）を短ボス体（２１ａ）から伝動ケース（１６）側に延出させて構成し、第１ボス体（２１）をスライドさせることで延出ボス体（２１ｂ）を第１の耕耘軸（１５ａ）に被せる状態に可能な構成としたことを特徴とする畝立施肥装置。
【請求項２】
前記耕耘畝立装置（Ａ）の上方に左右中央の粉繰出ホッパ（８）と左右側方の一対設けられる粒繰出ホッパ（９）を有する施肥装置（Ｂ）を設け、左右中央の粉繰出ホッパ（８）を前部の耕耘ロータリ（６）上方の中央部に搭載し、粒繰出ホッパ（９）を後部の畝成形器（７）上方の左右両側部に搭載して構成して各ホッパ（８、９）を前後、左右にずらせて配置させる構成とし、
粉繰出ホッパ（８）下に設ける繰出装置（５１）のモータを制御する粉用繰出コントローラ（７０）と、粒繰出ホッパ（９）下に設ける繰出装置（５１，５１）のモータを制御する粒用繰出コントローラ（７１）とを構成し、これらコントローラ（７０，７１）は、トラクタ車体のフェンダ（１１）上に配置されるグリップ（７９）に設けた取付基盤（８０）に配置される構成としたことを特徴とする請求項１に記載の畝立施肥装置。
【発明の詳細な説明】
【技術分野】
【０００１】
この発明は、畝立成形器によって形成された畝土壌面に、粉剤、粒剤を混合した肥料、乃至薬剤を施用する畝立施肥装置に関する。
【背景技術】
【０００２】
耕耘ロータリの上方部に施肥ホッパ等を配置して、繰出流下させる肥料を耕耘ロータリの左右ディスク間に施肥する技術（特許文献１）が知られている。また土壌攪拌のためにディスクを分割ロータとする形態が公知である（特許文献２）。
【先行技術文献】
【特許文献】
【０００３】
【特許文献１】特開２００５−６５５０号公報
【特許文献２】特開２００７−８９５２３号公報
【発明の概要】
【発明が解決しようとする課題】
【０００４】
ところで、前記特許文献１には、耕耘ロータリ軸には、耕耘爪と左右ディスクが取付けられるとあるのみで、一旦耕耘爪軸に耕耘爪と左右ディスクを取付けると耕耘軸方向の変更が行ない得ず、各種作目条件や地域による畝幅の相違等に容易に対応し難い。また、特許文献２においては、複数の分割ディスクを六角ボスの外周に配設しそのボスを耕耘軸に対して摺動自在に取り付け変更できる構成の開示があるが、元々ディスク間に耕耘爪を有さず、該ディスクと耕耘爪との関係に配慮した構成でない。
【課題を解決するための手段】
【０００５】
この発明は上記に鑑み、成形畦の左右位置の選択を容易化し、併せてディスクと耕耘爪との関係位置を適正に設定して、良好な畝立施肥作業を行なわせようとするもので、以下の技術的手段を講じた。
【０００６】
即ち、請求項１は、トラクタ車体１の後部に耕耘ロータリ６と耕耘土壌を受けて畝成形する畝成形器７とからなる耕耘畝立装置Ａを装着し、耕耘ロータリ６の耕耘軸１５ｂには畝成形器７で成形する畝の畝幅間に互いに対向する一対のディスク２５Ｌ，２５Ｒを配設し、耕耘施肥装置Ａの上方に配置した施肥装置Ｂによりこれら対向するディスク２５Ｌ，２５Ｒ間に繰り出す粉粒状物をこれら対向するディスク２５Ｌ，２５Ｒ間に配設した耕耘爪２３Ｌ，２３Ｒによって土壌とともに攪拌する畝立施肥装置であって、前記一対のディスク２５Ｌ，２５Ｒを各別に設ける一対のボス体２１，２４の夫々に、ディスク存在側とは反対方向に耕耘土壌を投擲すべく彎曲させた耕耘爪２３Ｌ，２３Ｒを該ディスク２５Ｌ，２５Ｒと所定の間隔Ｍをおいて設け、これら一対のボス体２１，２４を耕耘爪軸１５ｂに対してスライド自在でかつ所定位置に固定可能に設け、一対のディスク２５Ｌ，２５Ｒの間隔Ｗを調節可能に設けるものにおいて、
耕耘幅の中央部に垂下状態で伝動ケース１６を設け、該伝動ケース１６から左右に突出する耕耘出力軸１７，１７に第１耕耘軸１５ａをスプライン嵌合して動力伝動可能に構成し、この第１耕耘軸１５ａの回転動力を前記第２耕耘軸１５ｂに伝達する構成とし、
前記一対のボス体２１，２４を第１ボス体２１と第２ボス体２４で構成し、第１ボス体２１を短ボス体２１ａと径大の延出ボス体２１ｂで構成し、該延出ボス体２１ｂを短ボス体２１ａから伝動ケース１６側に延出させて構成し、第１ボス体２１をスライドさせることで延出ボス体２１ｂを第１の耕耘軸１５ａに被せる状態に可能な構成としたことを特徴とする畝立施肥装置とする。
【０００７】
従って、畝立施肥作業に当たっては、一対のボス体２１，２４を耕耘軸１５ｂに挿通し、その間隔Ｗを所定に設定して固定する。作業を開始すると、土壌は耕耘ロータリ６によって耕耘され、次いで畝立成形器７の作用で畝立てされる。繰出装置からの粉粒状物は成形畝内であって、一対のボス体２１，２４に夫々設けられるディスク２５Ｌ，２５Ｒ間において耕耘爪２３Ｌ，２３Ｒの作用で攪拌される。このとき、耕耘爪２３Ｌ，２３Ｒは彎曲し耕耘土壌は対抗するディスク２５Ｒ，２５Ｌに向け投擲されるが、これらディスク２５Ｒ，２５Ｌにて受け止められ土壌の攪拌を促進する。
前記一対のボス体２１，２４を第１ボス体２１と第２ボス体２４で構成し、第１ボス体２１を短ボス体２１ａと径大の延出ボス体２１ｂで構成し、第１ボス体２１をスライドさせることで延出ボス体２１ｂを第１の耕耘軸１５ａに被せる状態にする。
請求項２は、前記耕耘畝立装置Ａの上方に左右中央の粉繰出ホッパ８と左右側方の一対設けられる粒繰出ホッパ９を有する施肥装置Ｂを設け、左右中央の粉繰出ホッパ８を前部の耕耘ロータリ６上方の中央部に搭載し、粒繰出ホッパ９を後部の畝成形器７上方の左右両側部に搭載して構成して各ホッパ８、９を前後、左右にずらせて配置させる構成とし、
粉繰出ホッパ８下に設ける繰出装置５１のモータを制御する粉用繰出コントローラ７０と、粒繰出ホッパ９下に設ける繰出装置５１，５１のモータを制御する粒用繰出コントローラ７１とを構成し、これらコントローラ７０，７１は、トラクタ車体のフェンダ１１上に配置されるグリップ７９に設けた取付基盤８０に配置される構成としたことを特徴とする請求項１に記載の畝立施肥装置とする。
左右中央の粉繰出ホッパ８を前部の耕耘ロータリ６上方の中央部に搭載し、粒繰出ホッパ９を後部の畝成形器７上方の左右両側部に搭載して構成して各ホッパ８、９を前後、左右にずらせて配置する。
粉繰出ホッパ８下に設ける繰出装置５１のモータを制御する粉用繰出コントローラ７０と、粒繰出ホッパ９下に設ける繰出装置５１，５１のモータを制御する粒用繰出コントローラ７１とを、トラクタ車体のフェンダ１１上に配置されるグリップ７９に設けた取付基盤８０に配置する。
【発明の効果】
【０００８】
請求項１では、畝内に繰り出される粉粒状物は畝を部分的に攪拌するための仕切りとする一対のディスク２５Ｌ，２５Ｒ間において攪拌されるが、これらディスク２５Ｌ，２５Ｒは夫々別々にボス体２１，２４に取り付けられて耕耘軸１５ｂに対してスライド自在に設けられるから、ディスク２５Ｌ，２５Ｒの間隔Ｗを任意に変更することができ、圃場条件や作物条件あるいは施肥条件に適応させることができる。また、ディスク２５Ｌ，２５Ｒと耕耘爪２３Ｌ，２３Ｒとの間隔Ｍが必要以上に大きいときには当該間隔Ｍ部の土壌攪拌が損なわれる欠点があり、この間隔Ｍが異常に狭くなると当該間隔Ｍ部に異物が引っかかるなどの恐れがあるが、前記のように一対のディスク間隔Ｗを変更設定しても、夫々のボス体２１，２４においてはディスク２５Ｌ，２５Ｒと耕耘爪２３Ｌ，２３Ｒとの間隔Ｍが不変であるため、これらの欠点の恐れがなく適正な施肥攪拌作業を行なうことができる。
拡縮調整に当たって第１ボス体２１をスライドさせ、延出ボス体２１ｂを第１の耕耘軸１５ａに被せる状態まで伝動ケース１６側に近づけることができるので、一対のディスク２５Ｌ，２５Ｒ間による攪拌施用の左右位置の設定を拡大させることができるようになる。
請求項２では、各ホッパ８、９を前後、左右にずらせて配置しているため、各ホッパ７、８の容量を大きく設定でき、中央部のホッパ８に対する粉状物の供給等の作業を行い易くする。このように、粉繰出ホッパ８と粒繰出ホッパ９を前後、左右に位置ずれさせた形態に配置するため、これら各ホッパ８、９の容量を大きくして有効に配置することができ、耕耘ロータリ６の上方部における特に中央部の粉繰出ホッパ８に対するメンテナンス性を容易に行うことができる。
【図面の簡単な説明】
【０００９】
【図１】（イ）畝立施肥装置の側面図、（ロ）一部の正面図。
【図２】畝立施肥装置の背面図。
【図３】耕耘ロータリ部の拡大背面図。
【図４】耕耘ロータリ部の側面図。
【図５】耕耘ロータリ部の拡大斜視図。
【図６】耕耘ロータリ部と畝立装置の背面図。
【図７】耕耘ロータリ部と畝立装置の別例の背面図。
【図８】耕耘ロータリカバー部の平面図。
【図９】施肥供給排出部の断面図。
【図１０】施肥シャッター作用制御のフローチャート。
【発明を実施するための最良の形態】
【００１０】
この発明の実施の形態を図面に基づき説明する。
トラクタ車体１の後部にリフトアーム２によって昇降されるロアリンク３、トップリンク４等からなる３点リンク機構５を構成し、該３点リンク機構５を介して耕耘ロータリ６及び畝成形器７からなる耕耘畝立部Ａを装着している。
【００１１】
上記耕耘ロータリ６及び畝成形器７からなる耕耘畝立部Ａの上方に、左右中央の粉繰出ホッパ８と左右側方の一対設けられる粒繰出ホッパ９を有する施肥装置Ｂを設けている。
１０，１０は車体１の後輪、１１はフェンダ、１２は安全フレームである。
【００１２】
前記耕耘ロータリ６はセンタドライブ形態で、左右の耕耘軸１５，１５を伝動駆動する伝動ケース１６を耕耘幅の中央部に垂下状態に設ける構成である。
左右の耕耘軸１５，１５は、伝動ケース１６に近い第１の耕耘軸１５ａ，この第１耕耘軸１５ａの先端側異径部（例えば六角）に着脱自在に嵌合する主体の第２耕耘爪１５ｂからなり、伝動ケース１６から左右に突出する耕耘出力軸１７，１７に前記第１耕耘軸１５ａをスプライン嵌合して動力伝動可能に構成し、前記異径嵌合部を介して第１耕耘軸１５ａの回転動力を第２耕耘軸１５ｂに伝達する構成とし、第２耕耘軸１５ｂの軸方向の抜け止めは長尺のボルト部材１８で行なう構成である。
【００１３】
第１耕耘軸１５ａの周りには爪ホルダ１９ａを直接に溶接一体化して取り付け、該爪ホルダ１９ａには耕耘爪２３ａを着脱自在に装着している。第２耕耘軸１５ｂには、爪ホルダ２０Ｒを適宜個数、位相をずらせて配設した短ボス体２１ａを外嵌してスライド自在に設け、該短ボス体２１ａから内向き（伝動ケース１６側）に延出するよう径大の延出ボス体２１ｂを溶接一体化した第１ボス体２１を第２耕耘軸１５ｂの軸方向にスライドさせて所定の位置で締付具２２によって固定する構成である。これら爪ホルダ２０Ｒには耕耘爪２３Ｒを着脱自在に装着し、延出ボス体２１ｂに周方向放射状の複数枚の取付板２６Ｒ，２６Ｒ…には同位相の複数枚の耕耘ディスク２５Ｒ１〜２５Ｒ４からなり円盤状を呈するディスク２５Ｒを装着している。
【００１４】
また、前記第２耕耘軸１５ｂ上であって前記第１ボス体２１の外側（図５中左側）には、左右間隔離れて耕耘ディスク２５Ｌ１〜２５Ｌ４からなるディスク２５Ｌ用の取付板２６Ｌ，２６Ｌ…と耕耘爪２３Ｌ用の爪ホルダ２０Ｌを設けた第２ボス体２４をスライド自在に挿通している。そしてそのスライド位置で第１ボス体２１同様に、第２ボス体２４も締付具２２で耕耘軸１５ｂに対して所定の位置に固定できる構成としている。
【００１５】
前記取付板２６Ｌ，２６Ｒとディスク２５Ｌ，２５Ｒについて詳述すると、第１ボス体２１の取付板２６Ｒと第２ボス体２４の取付板２６Ｌとは同じ形態であって、これらは所定間隔Ｗ（例えば２００ｍｍ）離して耕耘軸１５ｂに直交する平面に対して僅かに捻って複数（図例では４枚）の取付板２６Ｌ，２６Ｒを同位相でありながら周方向には等間隔に配置し、かつこれら取付板２６Ｌ，２６Ｒに夫々螺旋羽根形態の前記耕耘ディスク２５Ｌ，２５Ｒを装着する。また、第１，第２の爪ホルダ２０Ｌ，２０Ｒには耕耘爪２３Ｌ，２３Ｒを着脱自在に装着している。
【００１６】
さらに、前記耕耘軸１５ｂの外側端には、延長ボス体２７を装着している（図３，図６）。該延長ボス体２７は、耕耘爪２３ｂ，２３ｂ…用の複数の爪ホルダ２８，２８…を備えると共に、締付具２９で耕耘軸１５ｂの長手方向にスライド調節及び左右反転して該耕耘軸１５ｂに固定できる構成としている。なお、左右反転取付するときには耕耘爪２３ｂ，２３ｂ…の彎曲方向を振り替えて爪ホルダ２８に装着する。このように構成することによって、耕耘幅を拡大又は縮小でき、圃場条件に応じた畝幅を成形することができる。また、このような耕耘幅の拡縮に応じてロータリカバーの延長カバー３７を長孔あるいは、複数の調節孔３７ａ，３７ａ…に沿って拡縮調整する構成としている。
【００１７】
上記のように構成された耕耘ロータリ６は、第１、第２耕耘軸１５ａ，１５ｂの回転によって耕耘爪２３ａ，２３ｂが順次土中に打ち込まれ土壌を耕耘する。また、ディスク２５Ｌ，２５Ｒも同様に回転し、左右に対向する関係となって、螺旋状に傾斜案内面を形成する耕耘ディスク２５Ｌ１〜２５Ｌ４，２５Ｒ１〜２５Ｒ４回転は土壌をこの対向する間隔部内に向けて移動させながら耕耘する。更に、対向するディスク２５Ｌ，２５Ｒ間に配設される耕耘爪２３Ｌまたは２３Ｒは、先端側の彎曲部が一体のボス部に配設されるディスク２５Ｌまたは２５Ｒに対して反対の方向に耕耘土壌を投擲する方向に形成され、換言すれば、耕耘爪２３Ｌまたは２３Ｒによる耕耘土壌はディスク２５Ｒまたは２５Ｌに向けて投擲されこれらディスク２５Ｒまたは２５Ｌにて飛散抵抗を受けてディスク２５Ｌ，２５Ｒ間において土壌耕耘を行う。
【００１８】
又、前記耕耘ロータリ６の上側を覆う耕耘カバー３０上に位置する耕耘フレーム３１から後方にわたってヒッチ３２を設け、このヒッチ３２にツールバー３３を取付ける。このツールバー３３には、畝成形器７、後述のステップ３４、３５及び尾輪３６等を配置できる。
【００１９】
畝成形器７は、片培土板４０，４０の一対を耕耘幅にわたって複数組（図例では伝動ケース１６を挟んで左右に各１対配置して、２条畝成形形態としている）取付け、このツールバー３３に沿って横移動可能にして、畝幅調節することができる。前記施肥装置Ｂは、耕耘フレーム３１、及びヒッチ３２等の上方に支持フレーム４１を介して支持されるマスト部材４２，４２の上部においてツールバー４２ａ，４２ａによって左右位置調節自在に設け、横方向に取付位置を移動調節可能に構成している。
【００２０】
前記耕耘ロータリ６と畝成形器７とにより畝立耕耘部Ａが構成され、加えて後述施肥装置Ｂを伴ない畝立施肥装置が構成される。ここにおいて、施肥装置Ｂは、前部の耕耘ロータリ６の上方部で左右中央位置には、粉状物を繰出す粉繰出ホッパ８を設け、後部の畝成形器７の上方部で、左右両側位置には粒状物を繰出す粒繰出ホッパ９，９を設けたものである。車体１の進行によって耕耘ロータリ６によって土壌面が耕耘されて、この耕耘土壌を畝成形器７によって畝成形する。この畝面には、粉繰出ホッパ８から繰出す粉状物と、粒繰出ホッパ９から繰出す粒状物を施用する。このような粉、粒状物の施用において、粉繰出ホッパ８を前部の耕耘ロータリ６上方の中央部に搭載し、粒繰出ホッパ９を後部の畝成形器７上方の左右両側部に搭載して、各粉状物、及び粒状物等の繰出流下施用を直下方向へ垂直状に行わせる。
【００２１】
粉状肥料と粒状肥料を混合しながら畝立土壌面に施用する作業機形態にあっては、これらの肥料を各別に収容しておくと、繰出ホッパの設置数が耕耘ロータリの上部で多くなり、これらの占めるスペースが広くなり、肥料等の供給作業やメンテナンス等が煩雑化となり易いが、前記のように、トラクタ車体１の後方に耕耘ロータリ６とこの耕耘土壌を受けて畝成形する畝成形器７を装着し、これら前部の耕耘ロータリ６の上方部で左右中央位置には、粉状物を繰出す粉繰出ホッパ８を設け、後部の畝成形器７の上方部で、左右両側位置には粒状物を繰出す粒繰出ホッパ９を設けた畝立施肥装置の構成とすることにより上記課題を解消する。
【００２２】
すなわち、車体１の進行によって耕耘ロータリ６によって土壌面が耕耘されて、この耕耘土壌面を畝成形器７によって畝成形する。この畝面には、粉繰出ホッパ８から繰出す粉状物と、粒繰出ホッパ９から繰出す粒状物を施用する。このような粉、粒状物の施用において、粉繰出ホッパ８を前部の耕耘ロータリ６上方の中央部に搭載し、粒繰出ホッパ９を後部の畝成形器７上方の左右両側部に搭載して、各粉状物、及び粒状物等の繰出流下施用を直下方向へ垂直状に行わせる。又、これら各ホッパ８、９を前後、左右にずらせて配置しているため、各ホッパ７、８の容量を大きく設定し、中央部のホッパ８に対する粉状物の供給等の作業を行い易くする。従って、上記の構成によると、粉繰出ホッパ８と粒繰出ホッパ９を前後、左右に位置ずれさせた形態に配置するため、これら各ホッパ８、９の容量を大きくして有効に配置することができ、耕耘ロータリ６の上方部における特に中央部の粉繰出ホッパ８に対するメンテナンス性を容易に行うことができる。
【００２３】
次に、上記実施例では、前記粉繰出ホッパ８から繰出される粉状物と、粒繰出ホッパ９から繰出される粒状物との各別繰出流下を受けて混合しながら、この混合肥料を分岐施用する流下ホッパ４５に、粉状物を流下供給する粉供給口４６と、この左右両側部に粒状物を流下供給する粒供給口４７，４７を配置して、中央部の粉状物を左右両側の粒状物で挾むようにして流下供給する構成としている。このため、粉状物は粉繰出ホッパ８に収容し、粒状物は粒繰出ホッパ９に粉供給口４６と粒供給口４７，４７とから各別に供給収容する。これら各ホッパ８，９に収容された粉状物と粒状物は、パイプ、乃至ホース等に流下案内されて、パイプ、乃至ホース等に流下案内されて、流下ホッパ４５に流入し、この流下ホッパ４５内で混合されて、左右二個所等に分岐した位置に施用される。この流下ホッパ４５に流入される粉、粒状物は、中央部の粉供給口４６から流下される粉状物の左右両側部を、粒供給口４７，４７から流下される粒状物で挾むようにして流下供給してこれら粉状物と粒状物との混合を行われ易くする。従って、粉、粒状物の各繰出ホッパ８、９から繰出される粉、粒状物を受ける流下ホッパ４５に流入させる粉供給口４６の左右両側に、粒供給口４７，４７から流下する粒状物を当てて、中央部の粉状物を左右両側部の粒状物で挾むようにしてこれら粉状物と粒状物を混合させるため、特別の撹拌器のような構成を要しないで、簡単な構成によって粉状物と粒状物を混合することができる（図９）。
【００２４】
更に本実施例では、前記耕耘ロータリ６による耕耘幅の左右両側部位置に施用するサイド施用口４９，４９を、左右方向へ移動可能に設けた構成としている。このため、前記耕耘ロータリ６によって耕耘された土壌面は畝成形器７により畝立て成形され、この耕耘幅の左右側の畝面にはサイド施用口４９，４９による施用が行われるが、畝成形器７による畝間隔が変化する等によって施用条位置が変更するときは、左右中心の伝動ケース１６部位置に対して左右のサイド施用口４９，４９を左右方向へ移動することによって、施用条間隔を調節する。従って、左右両側に位置するサイド施用口４９，４９を左右方向へ移動することによって施肥条間隔に合わせることができ、施肥位置を簡単、容易に合わせることができる。
【００２５】
つまり前記耕耘ロータリ６による耕耘幅の左右両側部位置に施用するサイド施用口４９，４９を、左右方向へ移動可能に設けている。前記耕耘ロータリ６によって耕耘された土壌面は畝成形器７により畝立て成形される。この耕耘幅の左右側の畝面にはサイド施用口４９，４９による施用が行われる。畝成形器７による畝間隔が変化する等によって施用条位置が変ったときは、伝動ケース１６部の中心に対して左右のサイド施用口４９，４９を左右方向へ移動することによって、施用条間隔を調節する構成とする。
【００２６】
前記各繰出ホッパ８、９は、平面視略方形状形態に設けられて、開閉可能の蓋５０を有する。各繰出ホッパ８、９の底部には、繰出ロールをモータで駆動して該ホッパ８、９の粉状物、又は粒状物を繰出す繰出装置５１を設ける。各繰出装置５１には左、右両側部の２個所に繰出口５２,５３，５３を設け、各々ホース５４，５５，５５を連結し、このホース５４，５５，５５によって流下ホッパ４５へ流下案内する。この流下ホッパ４５の中央部には粉繰出ホッパ８の中央部のホース５４の粉供給口４６をのぞませ、この粉供給口４６の左右両側部に粒繰出ホッパ９のホース５５の粒供給口４７をのぞませる。そして、各流下ホッパ４５の粉供給口４６は略垂直状に設定しているが、左右両側部の粒供給口４７は、適宜の交差角度のもとに交差状態に設定して、粉供給口４６から流下される粉状物に対して粒供給口４７から流下される粒状物を交差混合させるように構成している。
【００２７】
このような左右両側部の流下ホッパ４５の施用口４９には単一のホース５８を連通してサイド施用口４９を設けて、外側に形成される畝部の耕耘土壌に混合するように流下案内する。
【００２８】
このようにして各流下ホッパ４５には、粉供給口４６から供給される粉状物と、粒供給口４７から供給される粒状物とを流下混合させて、サイド施用口４９から各畝土壌中に施用する。
【００２９】
前記各施用口４９，４９は、これら各畝部条の前記左右対向する耕耘ディスク２５，２５間に位置してのぞませて施用するように設け、これら各施用口４９，４９から排出施用された肥料を、耕耘ディスク２５，２５の螺旋羽根の回転によって耕耘土壌と撹拌混合させるものである。肥料はこの左右両側のディスク２５Ｌ，２５Ｒ間に仕切られて外側の畝間溝部に出ることなく有効に混合施用される。
【００３０】
次いで、前記施肥装置Ｂの繰出装置５１に設けるモータを制御するコントローラ７０，７１について、これらのうち粉繰出ホッパ８下に設ける繰出装置５１のモータを制御する粉用繰出コントローラ７０と、粒繰出ホッパ９下に設ける繰出装置５１，５１のモータを制御する粒用繰出コントローラ７１とからなる。各コントローラ７０、７１は、モータ回転数を適宜に調整設定できる散布量調節ダイヤル７２、粒用コントローラ７１には左右の繰出装置５１，５１を連動状態とするかいずれか一方を駆動制御する切替スイッチ７３、運転インジケータ７４、過負荷インジケータ７５、非常時運転用手動スイッチ７６、電源スイッチ７７等を備えている。
【００３１】
これらコントローラ７０，７１は、トラクタ車体のフェンダ１１上に配置されるグリップ７９に設けた取付基盤８０に配置される。すなわち、機体の一側、図例では進行方向右側のフェンダ１１上のグリップ７９に、取付基盤８０をＵ型取付具８１，８１によって起立姿勢に取付け、操縦席側から前記散布量設定ダイヤル７２、切替スイッチ７３等を操作可能に設けている。このように構成すると、既存のグリップ７９部材に容易に取付けでき、手元で操作が可能となって便利である。なお、キャビン仕様トラクタの場合には、開閉ガラスドアの内側に設ける開閉用サポートフレーム（図示せず）にＵ型取付具８１，８１、取付基盤８０を取り付けることによって共通の部材でコントローラ７０，７１を配設でき、専用の構成部材を要さずコスト抑制に寄与する。
【００３２】
前記耕耘ロータリ６及び畝成形器７からなる耕耘畝立部Ａの作用について説明する。
圃場条件や作物体系に応じて畝幅を設定する。すなわち畝成形器７の一対の片培土板４０，４０の間隔を設定することにより行なうが、この設定は前記ツールバー３３に対する横移動調節によって行なうことができる。
【００３３】
また、畝幅の中央に攪拌施肥を行なうため、上記畝成形器７に対する左右のディスク２５Ｌ，２５Ｒ位置を設定する。即ち、外側のディスク２５位置を第２ボス体２４のスライド設定によって行うことにより、成形畝に対する左右方向の配置を決める。次いで、第１ボス体２１のスライド位置決めを行なうがこの調整の際には外側のディスク２５に対する適正間隔Ｗ（例えば２００ｍｍ）の位置に内側ディスク２５Ｒが配置されるようスライドして固定する。
【００３４】
上記の第１、第２ボス体２１，２４の固定に伴ない、これらディスク２５Ｌ，２５Ｒ間に配置される耕耘爪２３の耕耘軸１５ｂ長手方向（左右方向）の位置はおのずと設定される。第１ボス体２１及び第２ボス体２４の夫々にはディスク２５Ｌまたは２５Ｒ位置から所定の距離を置いて爪ホルダ２０Ｌまたは２０Ｒが配置されているため、オペレータはディスク２５と耕耘爪２３との間隔を調整する必要がない。なお、左右のディスク２５Ｌ，２５Ｒ間における耕耘爪２３Ｌ，２３Ｒは、先端が彎曲した普通爪であり土壌を反転しながら彎曲する方向に投擲するものであるが、ディスク２５Ｌまたは２５Ｒと耕耘爪２３Ｌまたは２３Ｒとの間隔Ｍが必要以上に大きいときには当該間隔Ｍ部の土壌攪拌が損なわれる欠点があり、この間隔Ｍが異常に狭くなると当該間隔Ｍ部に異物が引っかかるなどの恐れがある。
【００３５】
然しながら、前記のように、第１ボス体２１及び第２ボス体２４の構成とすることにより、ディスク２５Ｌまたは２５Ｒと耕耘爪２３Ｌまたは２３Ｒとの前記間隔Ｍを所定に維持して耕耘爪１５ｂに取り付けできることにより、前記の欠点を解消でき、しかも耕耘爪１５ｂに対するディスク２５Ｌ，２５Ｒや耕耘爪２３Ｌ，２３Ｒの取付け、取り外しの各作業を容易化できる。
【００３６】
なお、第１ボス体２１の延出ボス体２１ｂは径大に設けられるから、拡縮調整に当たって第１ボス体２１をスライドさせ、延出ボス体２１ｂを第１の耕耘軸１５ａに被せる状態まで伝動ケース１６側に近づけることができるため、一対のディスク２５Ｌ，２５Ｒ間による攪拌施用の左右位置の設定を拡大させることができる。
【００３７】
なお、前記の構成では、ディスク２５Ｌ，２５Ｒの径に対して耕耘爪２３Ｌ，２３Ｒの回転径を小さく設定しているが、大きく設定することも可能である。又、各繰出装置５１の繰出口５２，５３，５３を開閉するシャッター６０を設け、前記リフトアーム２の昇降作動によって連動ワイヤー６１等を介してこのシャッター６０を開閉連動する構成とし、図１０のフローチャートのように繰出装置５１等を上昇させた状態では、このシャッター６０を閉鎖して施肥作動を停止させ、下降させた状態でシャッター６０を開いて施用開始させる。
【００３８】
又、前記耕耘軸１５ａ，１５ｂの周りに揺動杆６２の下端部を嵌合させて、この耕耘軸１５の回転によって揺動させて、この揺動杆６２の上端部を各ホース５４、５５にリング６３等で係合させて、このホース５４、５５を揺動させるように構成し、ホース５４、５５内の粉、粒状物の流下詰りを防止することができる。
【００３９】
前記第１耕耘軸１５ａ上の耕耘爪２３ａ，第２耕耘爪１５ｂ上の耕耘爪２３ｂによる土壌耕耘は畝立用に必要である。
前記の第１ボス体２１，第２ボス体２４の各構成は伝動ケース１６の左側方における耕耘軸１５ａ，１５ｂにおける一例を示すが、右側方においても対照的に構成される。
【００４０】
図７に示すように、畝成形器７は、左右それぞれの片培土板４０Ｌ，４０Ｒからなる一対を耕耘幅にわたって取付ける構成としている。このように、広平畝に形成する場合において、耕耘軸には、一対のディスク２５Ｌ，２５Ｒと耕耘爪２３Ｌ，２３Ｒとからなる１条分の攪拌耕耘部を複数条（図例では２条）形成することができる。このように１畝複数条の構成の場合には、畝条毎に攪拌耕耘条を対応させて設ける構成に比較して広平畝の幅方向最適の位置に攪拌耕耘条を形成でき、各種作物や成形畝幅の条件に応じて適正な施肥を行うことができる。
【符号の説明】
【００４１】
Ａ 耕耘畝立装置
Ｂ 施肥装置
１    車体
６    耕耘ロータリ
７    畝成形器
８ 左右中央の粉繰出ホッパ
９ 粒繰出ホッパ
１１ フェンダ
１５ａ 第１耕耘軸
１５ｂ（第２）耕耘軸
１６ 伝動ケース
１７ 左右の耕耘出力軸
２１  （第１）ボス体
２１ａ 短ボス体
２１ｂ 延出ボス体
２３Ｌ  耕耘爪
２３Ｒ  耕耘爪
２４  （第２）ボス体
２５Ｌ  ディスク
２５Ｒ  ディスク
５１ 繰出装置
７０ 粉用繰出コントローラ
７１ 粒用繰出コントローラ
７９ グリップ
８０ 取付基盤
【図１】
0005387157.tif 000002
【図２】
0005387157.tif 000003
【図３】
0005387157.tif 000004
【図４】
0005387157.tif 000005
【図５】
0005387157.tif 000006
【図６】
0005387157.tif 000007
【図７】
0005387157.tif 000008
【図８】
0005387157.tif 000009
【図９】
0005387157.tif 000010
【図１０】
0005387157.tif 000011